(57)【要約】【課題】ファスナーにスライダを取り付けた状態で運搬しても勝手にこぼれたり、店頭などで盗難等を防止することが出来、商品の入った袋体の購入者は簡単にスライドさせることが可能な固定式ファスナー用スライダやそれを用いた袋体を提供する。【解決手段】一方にはファスナー（２）の係合状態を分離する突起（３ｃ）を設けたスライダ部材（３ａ）と、他方には分離されたファスナー（２）を係合する凹部（３ｄ）を設けたスライダ部材（３ｂ）と、の二つを嵌合して形成されるスライダ（３）と、前記スライダ部材（３ａ）またはスライダ部材（３ｂ）のいずれかの上に貫通した孔（３ｅ）貫通した凸部（３ｆ）と、一方を袋体に固定する係止部材（５）と他方を前記いずれかのスライダ部材に設けた凸部（３ｆ）の孔（３ｅ）に嵌脱可能に嵌め入れる連結棒とから成る固定具（４）と、で構成されて成る固定式ファスナー用スライダ。【選択図】図1
2012217519.tif 000002
【特許請求の範囲】
【請求項１】
一方にはファスナーの係合状態の凸条係合部と凹条溝係合部とを分離する突起を設けたスライダ部材と、他方には分離されたファスナーの凸状係合部と凹条溝係合部とを係合する凹部と、前記スライダ部材と嵌合・分離することのできるスライダ部材と、の二つを嵌合して形成されるスライダと、
前記一方のスライダ部材または他方のスライダ部材のいずれかの上に設置され孔を貫通した凸部と、
袋体に固定する曲げ可能な平板の一方に設けた突起部と平板の他方の端部近傍に前記突起部を嵌め入れる穴とを設けて袋体を貫通して係止させる係止部材と、一方を前記係止部材に固定し、他方を前記いずれかのスライダ部材の上部に貫通した孔に嵌脱可能に嵌め入れて連結する連結棒と、から成る固定具と、を備えてなることを特徴とする固定式ファスナー用スライダ。
【請求項２】
一方にはファスナーの係合状態の凸条係合部と凹条溝係合部とを分離する突起を設けたスライダ部材と、他方には分離されたファスナーの凸状係合部と凹条溝係合部とを係合する凹部と、前記スライダ部材と嵌合・分離することのできるスライダ部材と、の二つを嵌合して形成されるスライダと、
前記一方のスライダ部材または他方のスライダ部材のいずれかの上に設置され孔を貫通した凸部と、
曲げ可能な平板の一方に設けた突起部と平板の他方の端部近傍に前記突起部を嵌め入れる穴とを設けて袋体を貫通して係止させる係止部材と、一方を前記係止部材に嵌脱可能に嵌め入れ、他方を前記いずれかのスライダ部材の上部に設けた凸部の貫通した孔に嵌脱可能に嵌め入れて連結する連結棒と、から成る固定具と、を備えてなることを特徴とする固定式ファスナー用スライダ。
【請求項３】
ファスナーに取り付けたスライダの両側側壁には、凹凸を形成して成ることを特徴とする請求項１または請求項２に記載のスライダであることを特徴とする固定式ファスナー用スライダ。
【請求項４】
開口部近傍に設けたファスナーに、請求項１乃至請求項３のいずれかに記載の固定式ファスナー用スライダをスライダを用いた袋体。
【発明の詳細な説明】
【技術分野】
【０００１】
本発明は、薄い合成樹脂製等の袋体の開口部に取り付けたファスナーに開閉用としてスライダを取り付け、商品を収納した袋体を運搬する際商品がこぼれ出るのを防止し、また、店頭販売時の盗難防止にもなる固定式ファスナー用スライダおよびそのスライダを用いた袋体に関する。
【背景技術】
【０００２】
一般に化粧品や菓子類或いは文房具類等は、樹脂製等の薄いシートで製作された袋体に収納してスーパーストアやコンビニエンスストア等の店頭に並べて販売することが多い。従来は、図１３に示すように、袋体１にファスナー２を設け、該ファスナー２にスライダ３を取り付けてスライドさせることによって開閉し、内部の商品を出し入れするものもある。この場合、図１３（Ａ）、（Ｂ）に示すように、ファスナー２は、袋体１の開口部の近傍の一方の内壁１ｂに設けられた凸条係合部２ａと、ほぼ同じ位置の対向する内壁１ｃに設けられ該凸条係合部２ａを嵌め入れる凹条溝係合部２ｂと、からなり、スライダ３でファスナー２を開閉する。スライダ３には、凸条係合部２ａと凹条係合部２ｂとを分離する突起３ｃと係合させる凹部３ｄとが形成されている。
【０００３】
多数の商品を収納した袋体を運搬するとき、ファスナ２をスライダ３で閉めておいたつもりでも、一部の袋体では若干ファスナ２が開いた状態で運ばれると袋体内部の商品が自然とこぼれ出ることもある。通常、ファスナー２にスライダ３を取り付けた商品入り袋体１を店頭に並べて置いた場合、スライダ３は簡単にスライドさせることができるので袋体１内の商品は、スライダ３をスライドさせてフアァナー２を開け、簡単に取り出すことが可能である。従って、袋体１内の商品は簡単に万引きされることもあり、また店頭で例えば吊り下げた状態で袋体を並べた場合、その状態で盗難されると簡単には気付かれない。しかもスライダ３のスライド操作時には殆ど周囲の人に聞こえるような音はしないので余計に気付かれない。このようにファスナー２にスライダ３を取り付けることは便利であるが、店頭販売時盗難に逢いやすいという問題がある。
【０００４】
従来の店頭に吊り下げた袋体に収納した商品を盗まれない工夫としては、帯状体に再閉塞可能なファスナーにプラスチック製のスライダを跨いで走行させるように取り付け、前記ファスナーの端部に設けた端側停止部で停止し、該スライダの突出部がファスナーの凹部に嵌まり、固定するように構成されたスライダを閉じた位置に保持する構造を備えた再閉塞可能なプラスチック製ファスナーが知られている（特許文献１）。その他、盗難防止用の簡易な錠が要求される袋物類等のスライドファスナー用スライダーとしては、スライダー主体１は、努歯ｔの咬合または離反機能を果たす胴体１０上に中空柱部１１を固定し、中空柱部は左右側面に軸用窓孔を備え、かつ、軸用窓孔から挿入された解除用軸２２ａの胴体面上径方向の動きにより努歯咬合部へ出没して相互の離反阻止と解除を行う係止爪を内臓した構成とし、ロック解除用組部２は、支点を中心として開閉する先端部の内側に、相互の衝合によって解除用軸２２ａを形成し、ピン２２を形成した一対の開閉連結片２４を、操作部の一部と先端部２１の露呈並びに支点を中心とする開閉動作を確実にし、引手接続部２５を保持体２６に保持し、引手接続部には引手４を連結した構成のものが知られている（符号は引用文献のも、特許文献２のものをそのまま使用）。
【先行技術文献】
【特許文献】
【０００５】
【特許文献１】特開平５−９１９１１
【特許文献２】特開２０００−２２５００７
【発明の概要】
【発明が解決しようとする課題】
【０００６】
図１３に示すように、袋体１の開口部にファスナー２を設けてスライダ３を取り付けると、開口部のファスナー２を開閉するためには、スライダ３をスライドさせないと開閉することは出来ない。従って、スライダ３をファスナー２にスライド不可能に固定すれば、袋体に収納した商品は取り出し不可能となり、商品のこぼれ防止や、盗難防止は可能であるが、袋体に入った商品の購買者は開閉部のファスナー２が開閉できないので商品を取り出すことが出来ないことになる。また、スライダ３をファスナー２に固定することは通常の状態ではできない。いずれにしてもファスナー２を開かないようにしたり、スライダ３の走行を不可とすることはファスナー２にスライダ３を取り付ける意味はない。しかし、運搬中のこぼれ防止や店頭販売時の盗難防止が可能で、少し工夫すればスライダ３が移動し、中の商品を取り出すことが可能であれば一層便利なファスナー用スライダとなる。
【０００７】
本発明は、上記する課題を解決するためになされたものであり、ファスナーにスライダを取り付けた状態で運搬しても勝手にこぼれたり、店頭などに展示しても、スライダをスライドさせることが出来ず且つ盗難等を防止することが出来、商品の入った袋体の購入者は、簡単に従来のようにスライダをスライドさせることが可能な固定式ファスナー用スライダおよびそのスライダを用いた袋体を提供することを目的としている。
【課題を解決するための手段】
【０００８】
すなわち、本発明の請求項１に記載の発明は、固定式ファスナー用スライダが、一方にはファスナー（２）の係合状態の凸条係合部（２ａ）と凹条溝係合部（２ｂ）とを分離する突起（３ｃ）を設けたスライダ部材（３ａ）と、他方には分離されたファスナー（２）の凸状係合部（２ａ）と凹条溝係合部（２ｂ）とを係合する凹部（３ｄ）と前記スライダ部材（３ａ）と嵌合・分離することのできるスライダ部材（３ｂ）と、の二つを嵌合して形成されるスライダ（３）と、
前記一方のスライダ部材（３ａ）または他方のスライダ部材（３ｂ）のいずれかの上に設置され孔（３ｅ）を貫通した凸部（３ｆ）と、
袋体（１）に固定する曲げ可能な平板の一方に設けた突起部（５ａ）と平板の他方の端部近傍に前記突起部（５ａ）を嵌め入れる穴（５ｃ）とを設けて袋体を貫通して係止させる係止部材（５）と、一方を前記係止部材（５）に固定し、他方を前記いずれかのスライダ部材の上部に貫通した孔に嵌脱可能に嵌め入れて連結する連結棒（６）と、から成る固定具（４）と、
を備えてなることを特徴とするものである。
【０００９】
また、請求項２に記載の発明は、固定式ファスナー用スライダが、            一方にはファスナー（２）の係合状態の凸条係合部（２ａ）と凹条溝係合部（２ｂ）とを分離する突起（３ｃ）を設けたスライダ部材（３ａ）と、他方には分離されたファスナー（２）の凸状係合部（２ａ）と凹条溝係合部（２ｂ）とを係合する凹部（３ｄ）と、前記スライダ部材（３ａ）と嵌合・分離することのできるスライダ部材（３ｂ）と、の二つを嵌合して形成されるスライダ（３）と、
前記一方のスライダ部材（３ａ）または他方のスライダ部材（３ｂ）のいずれかの上に設置され孔（３ｅ）を貫通した凸部（３ｆ）と、
曲げ可能な平板の一方に設けた突起部（５ａ）と平板の他方の端部近傍に前記突起部を嵌め入れる穴（５ｃ）とを設けて袋体（１）を貫通して係止させる係止部材（５）と、一方を前記係止部材（５）に嵌脱可能に嵌め入れ、他方を前記いずれかのスライダ部材の上部に設けた凸部（３ｆ）の貫通した孔（３ｅ）に嵌脱可能に嵌め入れて連結する連結棒（６）と、から成る固定具（４）と、を備えてなることを特徴とするものである。
【００１０】
また、請求項３に記載の発明は、固定式ファスナー用スライダが、ファスナー（２）に取り付けたスライダ（３）の両側側壁には、凹凸（３ｇ）を形成して成ることを特徴とする請求項１または請求項２に記載のスライダであることを特徴としている。
【００１１】
また、請求項４に記載の発明は、袋体が、開口部近傍に設けたファスナー（２）に、請求項１乃至請求項３のいずれかに記載の固定式ファスナー用スライダを設けたことを特徴としている。
【発明の効果】
【００１２】
本発明を上記手段とすると、袋体の内部に収容した商品が運搬中にこぼれたり、店頭に並べたとき取り出しが不可能となるので万引き等の盗難を防止することができる。また、ファスナーのみを設けた袋体にも固定式ファスナー用スライダを取り付けることができるので、簡単に盗難防止用の袋体とすることができる。そして、固定具を構成する棒材の一方を、スライダの上の凸部の孔から抜けばスライダを固定具から外すことができる。このように、スライダは袋体から取り外し可能であり、分割したり、組み立てたりすることができるので、袋体から取り外しやすく且つ他の袋体にも使用可能となり、無駄に廃棄することが無くなる。
【図面の簡単な説明】
【００１３】
【図１】図１（Ａ）は、本発明の固定式ファスナー用スライダの平面図である。図１（Ｂ）は側面図である。
【図２】図２は、図２は、本発明の固定式ファスナー用スライダの底面図である。
【図３】図３は、図１（Ｂ）Ｗ矢視図である。
【図４】図４（Ａ）は、本発明を構成するファスナー用スライダを後部下方向から見た斜視図、図３（Ｂ）は、上方向から見た斜視図である。
【図５】図５（Ａ）は、袋体１に取り付けた本発明の固定式ファスナー用スライダを構成するスライダ部材の平面図、図５（Ｂ）は、正面図、図５（Ｃ）は、底面図である。
【図６】図６（Ａ）は、図５（Ｂ）のＰ矢視図、図６（Ｂ）は、図５（Ｂ）のＱ矢視図である。
【図７】図７（Ａ）は、スライダ部材の平面図、図７（Ｂ）は、正面図、図７（Ｃ）は、底面図である。
【図８】図８（Ａ）は図７（Ｂ）のＲ矢視図、図８（Ｂ）は、図７（Ｂ）のＳ矢視図である。
【図９】図９（Ａ）は、固定部材の一方の側面図、図９（Ｂ）は、平面図、図９（Ｃ）は、他方の側面である。
【図１０】図１０は、固定部材の連結棒の先端部の斜視図である。
【図１１】図１１（Ａ）は、袋体に設けたファスナーに前記のスライダを取り付け、固定部材を袋体に係止させた状態の平面図であり、（Ｂ）は、側面図である。
【図１２】図１２は、本発明の固定式ファスナー用スライダの固定具の係止部材をファスナーの開口部の端部より直角の上端部で袋体１に係止させた状態の図である。
【図１３】図１３は、従来のファスナー付袋体の断面図であり、図１３（Ａ）は袋体に設けたファスナーが係合した状態を示し、図１３（Ｂ）はスライダの突起でファスナーの係合状態を分離した状態を示し、図１３（Ｃ）はスライダでファスナーを係合させた状態をそれぞれ示す。
【発明を実施するための形態】
【００１４】
以下、本発明の具体的実施の形態を添付図を参照しながら説明する。なお、従来と同一の構成要素には従来の符号と同一の符号を使用して説明する。
図１（Ａ）は、本発明の固定式ファスナー用スライダの平面図であり、図１（Ｂ）は側面図である。また、図２は、本発明の固定式ファスナー用スライダの底面図である。更に、図３は、袋体１のファスナーに実際に本発明のスライダ３の固定部材４を取り付ける場合の図１（Ｂ）Ｗ矢視図であり、図４（Ａ）は、本発明を構成するファスナー用スライダを後部下方向から見た斜視図であり、図３（Ｂ）は、上方向から見た斜視図である。
【００１５】
図５（Ａ）は、本発明のスライダ３の一方のスライダ部材３ａの平面図であり、図５（Ｂ）は側面図であり、図５（Ｃ）は底面図である。図６（Ａ）は、図５（Ｂ）のＰ矢視図であり、図６（Ｂ）は、図５（Ｂ）のＱ矢視図である。また、図７（Ａ）は、他方のスライダ部材３ｂの平面図であり、図７（Ｂ）は側面図であり、図７（Ｃ）は底面図である。図８（Ａ）は、図７（Ｂ）のＲ矢視図であり、図８Ｂ）は、  図７（Ｂ）のＳ矢視図である。
【００１６】
これらの図１〜図８等において、３は袋体１の開口部近傍に設けたファスナー２に取り付けたスライダ、４は後述する固定具である（１と２は図１３（Ｂ）参照）。前記スライダ３は、一方には図１３に示すファスナー２の係合状態の凸条係合部２ａと凹条溝係合部２ｂとを分離する突起３ｃを設けたスライダ部材３ａと、他方には分離されたファスナー２の凸状係合部２ａと凹条溝係合部２ｂとを係合する凹部３ｄを設けたスライダ部材３ｂとの二つを嵌合して形成される。また、前記スライダ部材３ｂの上には、孔３ｅを貫通した凸部３ｆが設けられる。しかし、該凸部３ｆは、前記他方のスライダ部材３ｂでなく、一方のスライダ部材３ａ側に設けても良い。なお、前記スライダ部材３ａおよび３ｂの両側にはスライドさせる場合袋体１の開閉時指がかかり易いように凹凸３ｇ、３ｇを設けてある。また、４は固定部材５と連結棒６から成る固定具であり、詳細は次に述べる。
【００１７】
図１〜図３の５は、本発明の固定式ファスナー用スライダを構成する固定具４の係止部材であって、曲げ可能な平板例えば合成樹脂で製作され、一方の端部近傍には突起部５ａが形成され、該平板の他方には、端部近傍に前記突起部５ａを嵌め入れる穴５ｃが形成される。なお、突起部５ａを穴５ｃに嵌め入れる際には間に袋体１を貫通して係止させるが、袋体１には突起部５ａを貫通させる程度の穴が設けられる。また、突起部５ａの先端部は少し該突起部５ａの軸より少し径の大きな先端突起部５ｂを設け突起部５ａを押し込んで穴５ｃに嵌め入れるようにすると５ｃから抜けにくくなる。
【００１８】
図１〜図３の６は、本発明の固定式ファスナー用スライダを構成する固定具４の連結棒である。該連結棒６は、一方を前記係止部材５に固定し、他方を前記スライダ部材３ｂの上部に設けた凸部３ｆの孔３ｅを嵌脱可能に嵌め入れるようにしてある。その詳細は、後述する。
【００１９】
図５（Ａ）は、袋体１に取り付けた本発明の固定式ファスナー用スライダを構成するスライダ部材３ａの平面図であり、図５（Ｂ）は、側面図であり、図５（Ｃ）は、底面図である。図６（Ａ）は図５（Ｂ）のＰ矢視図であり、図６（Ｂ）は、図５（Ｂ）のＱ矢視図である。また、図７（Ａ）は、スライダ部材３ｂの平面図であり、図７（Ｂ）は、側面図であり、図７（Ｃ）は、底面図である。図８（Ａ）は図７（Ｂ）のＲ矢視図であり、図８（Ｂ）は、図７（Ｂ）のＳ矢視図である。なお、図７（Ｂ）は、図７（Ａ）のＸ−Ｘ矢視図である。
【００２０】
これらの図に示すように、スライド部材３ａの３ｈ、３ｈは突出部であり、両腕のように両端部に設けられており、上部には段部３ｍが形成されている。そして端部の中央部にはファスナー２の係合状態の凸条係合部２ａと凹条溝係合部２ｂとを分離する突起３ｃが形成され且つ後述する凹部３ｄより幅広部３ｊから突出するように形成されている。また、スライド部材３ｂの３ｉ、３ｉは前記突出部３ｈ、３ｈが丁度嵌まるように両端部に形成された凹状部である。このスライド部材３ｂには、凹部３ｄが設けられ、上記するように、幅広部３ｊより幅狭に設けられている。また、スライド部材３ｂの底部には幅狭の凹部３ｄから突起３ｃを設けた幅広部３ｊより狭く形成されている。そして該凹部３ｄの下には２つに分けた底部３ｋ、３ｋが形成されている。この凹部３ｄは、スライドさせると、分離されたファスナー２の凸状係合部２ａと凹条溝係合部２ｂとを係合する機能を有する。該スライド部材３ｂの上には孔３ｅを貫通させた凸部３ｆが形成されている。また、前記スライド部材３ｂは、上部が前記スライド部材３ａの段部３ｍに嵌まると、図４（Ａ）、（Ｂ）に示すように一体のスライダ３となる。
【００２１】
次に、図９（Ａ）は、固定具４の一方の側面図であり、図９（Ｂ）は、平面図であり、図９（Ｃ）は、他方の側面である。また、図１０は、前記連結棒６の先端部の斜視図である。上記するように、固定具４は、係止部材５と連結棒６とから成るが、係止部材５は、折り曲げて袋体１に固定するためのものである。係止部材５と固定されない他方の連結棒６の端部は若干太めの棒部材６ａが設けられているが、その先には弾性のある返し部６ｂ、６ｂが形成されている。すなわち、この返し部６ｂ、６ｂは、スライダ部材３ｂの凸部３ｆに設けた孔３ｅを通したあと弾性で広がり、ここで係止される。また、連結棒６を孔３ｅから抜くときには返し部６ｂ、６ｂを押さえて小さくすると抜くことができる。
なお、固定具４の連結棒６の両端部は、スライダ部材３ｂの凸部３ｆだけでなく、係止部材５にも孔を設けることが可能なように膨らみを形成し連結棒６の両端部が嵌脱可能としても良い。
【００２２】
以上詳述したように、本発明の固定式ファスナー用スライダは、ファスナー２をスライドし開閉可能とし且つ分割・結合できるスライダ３と、固定具４とで構成される。図１１（Ａ）は、袋体１に設けたファスナー２に前記のスライダ３を取り付け、係止部材４を袋体１に係止させた状態の平面図であり、図１１（Ｂ）は、側面図である。本発明の固定式ファスナー用スライダはこれらの図に示すように、袋体１のファスナー２の形成されている部分に取り付けられ、固定具４の係止部材５を折り曲げて袋体１を通して突起部５ａを穴５ｃに嵌め入れて固定する。したがって、スライダ３は不動となり、袋体１に収納した物品が搬送中こほれ落ちることはないし、店頭に並べて販売しても簡単に袋体１の中身を取り出されて盗まれることはなく盗難防止ともなる。
【００２３】
図１２は、本発明の固定式ファスナー用スライダの固定具４の係止部材５をファスナー２の開口部の端部より直角の上端部で袋体１に係止させた状態の図である。このように、本発明の固定式ファスナー用スライダは係止部材を係止させる場所として、ファスナー２のある部分と同じ線上である必要はなく、ファスナー線上より９０度直角の方向に係止させて固定しても良い。
【産業上の利用可能性】
【００２４】
本発明の固定式ファスナー用スライダおよびその袋体は、ファスナー２を設けた袋体に用いることができる。更に、運搬中に勝手にこぼれて損害をうけたり、百貨店やスーパー等で袋入りの商品を並べて販売する場合、盗難防止を図る袋体として広く製造販売することができるので、スライダの製造・販売を盛んにして産業を活発化するのに極めて有効である。また、本発明のスライダは、ファスナーだけ設けた既存の袋体にも取り付けることができるので、包装袋の利用範囲が広がり、産業分野で広く利用することができる。
【符号の説明】
【００２５】
１    袋体
１ａ  小孔
２    ファスナー
２ａ  凸条係合部
２ｂ  凹条溝係合部
３    スライダ
３ａ  スライダ部材
３ｂ  スライダ部材
３ｃ  突起
３ｄ  凹部
３ｅ  孔
３ｆ  凸部
３ｇ  スライダ側壁の凹凸
３ｈ  係合部材の突出部
３ｉ  係合部材の凹状部
３ｋ  係合部材の底部
３ｍ  段部
４    固定具
５    係止部材
５ａ  突起部
５ｂ  径の大きな突起部
５ｃ  穴
６    連結棒
６ｂ  弾性返し
【図１】
2012217519.tif 000003
【図２】
2012217519.tif 000004
【図３】
2012217519.tif 000005
【図４】
2012217519.tif 000006
【図５】
2012217519.tif 000007
【図６】
2012217519.tif 000008
【図７】
2012217519.tif 000009
【図８】
2012217519.tif 000010
【図９】
2012217519.tif 000011
【図１０】
2012217519.tif 000012
【図１１】
2012217519.tif 000013
【図１２】
2012217519.tif 000014
【図１３】
2012217519.tif 000015